(57)【要約】【課題】本発明は、シンボル直接が施されていない表示部を用いても、シンボルの充分な視認性が確保できるとともに、製造性及び汎用性を高めることができる表示装置を提供する。【解決手段】本実施形態によれば、表示面１１が縦１４０×横１４０のドットマトリクス状に各領域１２，１２・・・が区画されている表示部１を用いたことにより、複数のシンボル６１，６１・・・を一つの表示部１で表示し得るようにする構成であっても、各シンボル６１，６２・・・の視認性は確保することができ、かつ、必要以上に複雑化しすぎることによる製造性及び汎用性の低下を抑えることができる。【選択図】図７
2004184936.tif 000002
【特許請求の範囲】
【請求項１】
少なくとも縦１４０×横１４０以上となるドットマトリクス状に各領域が区画された表示部と；
表示部に任意のシンボルが表示されるように指定する入力手段と；
入力手段により指定されたシンボルが表示部に表示されるように、各領域毎にシンボルのパターンを割り付ける制御手段と；
光を出射するとともに、この光が表示部の各領域に照射されることで各領域に割り付けられたパターンを表示可能とするように設けられている光学手段と；
を具備することを特徴とする表示装置。
【発明の詳細な説明】
【０００１】
【発明の属する技術分野】
本発明は、ドットマトリクス状に形成されている表示部を有する表示装置に関する。
【０００２】
【従来の技術】
従来、誘導灯のような表示装置は、冷陰極蛍光ランプを用いたサイドライト方式のバックライトが多く用いられている。サイドライト方式とは、導光板などの導光手段の一端面から光を入射させ、端面と略直交する一面へ入射光を伝播し、この一面から光を出射させることで表示板を照射するものである。
【０００３】
ところで、現在、上記冷陰極蛍光ランプを用いたサイドライト方式以外で表示装置を構成することも検討されている（例えば、特許文献１参照。）。
【０００４】
特許文献１記載の表示装置は、光源として有機ＥＬが用いられているものであって、有機ＥＬの外側に所定の表示内容が形成された透明又は半透明の表示パネルを積層することを特徴とするもので、これにより極めて薄く、明るい表示を可能にするというものである。
【０００５】
【特許文献１】
特開２００１−１３８９８号公報（（００２２）、第４図）
【０００６】
【発明が解決しようとする課題】
しかしながら、特許時文献１記載の発明は、複数種のシンボルを表示しようとすると、そのシンボルが記されている専用の表示パネルを用いなくてはならないので、複数種の表示パネルを有しておかなくてはならないという問題があった。
【０００７】
また、誘導灯等の表示装置は、その性質上、表示するシンボルが多種存在するとともに、表示するシンボルの視認性は確保しなければらないものである。したがって、これを実現しようとして例えば、液晶表示装置に用いられている表示部の画像を可変させる技術を単に転用したとしても、表示部の構成を複雑化しすぎてしまう虞があり、その構造が容易ではないことに加えて、コスト等も増加してしまうので汎用性が低下してしまうという虞がある。
【０００８】
本発明は、上記に鑑みなされたものであり、シンボル直接が施されていない表示部を用いても、シンボルの充分な視認性が確保できるとともに、製造性及び汎用性を高めることができる表示装置を提供することを目的とする。
【０００９】
【課題を解決するための手段】
請求１記載の表示装置は、少なくとも縦１４０×横１４０以上となるドットマトリクス状に各領域が区画されシンボルを表示する表示部と；表示部に指定されたシンボルが表示されるように、各領域毎に指定されたシンボルのパターンを割り付ける制御手段と；光を出射するとともに、この光が表示部の各領域に照射されることで各領域に割り付けられたパターンを表示可能とするように設けられている光学手段と；を具備することを特徴とする。
【００１０】
入力手段は、表示装置と一体となって設けられてもいいし、別体で設けられていてもよく、要するに表示部に表示するシンボルが指定できるような機能を有すれば、如何なる構造のものでもよい。さらにまた、入力手段は、任意のシンボルをあらかじめＲＯＭ等の記憶手段に記憶させ、この記憶手段を制御手段に接続することで設けられるような構成も許容する。
【００１１】
請求項１記載の表示装置によれば、まず、入力手段により表示部に表示するシンボルを指定する。この指定されたシンボルに関する情報は制御手段に入力され、この制御手段によって、表示部全体としてシンボルが表示されるように表示部の各領域にパターンを割り付ける。そして、光学手段から照射された光を用いて各領域を照射することで制御手段によって割り付けられた各パターンを各領域に表示させ、表示部全体として指定されたシンボルを表示する。このとき、表示部は少なくとも縦１４０×横１４０以上となるドットマトリクス状に各領域が区画されているので、指定されたシンボルは縦１４０×横１４０以上である各領域毎にパターンとして割り付けられ、かつ、縦１４０×横１４０以上である各領域が一つの集合体として指定されたシンボルを表示することとなる。
【００１２】
本発明によれば、少なくとも縦１４０×横１４０以上となるドットマトリクス状に各領域が区画された表示部と；表示部に任意のシンボルが表示されるように指定する入力手段と；入力手段により指定されたシンボルが表示部に表示されるように、各領域毎にシンボルのパターンを割り付ける制御手段と；光を出射するとともに、この光が表示部の各領域に照射されることで各領域に割り付けられたパターンを表示可能とするように設けられている光学手段と；を具備することにより、複雑なシンボルであっても視認性を確保することができる。また、表示部の構成を最適化したことにより、製造性及び汎用性を高めることができる表示装置を得ることができる。
【００１３】
【発明の実施の形態】
本発明の実施形態を図面を参照して説明する。図１は本発明の表示装置である誘導灯を示すブロック図、図２は図１の誘導灯を示す斜視図、図３は図１の誘導灯の表示部の表示パネルを示す拡大図、図４は図１の誘導灯の表示部を示す説明図である。なお、図４の（ａ）は表示部の表示パネル及び有機ＥＬユニットを示す拡大拡大断面図、（ｂ）は有機ＥＬユニットを示す正面図である。
【００１４】
各図において、１が表示部、２が入力手段、３が制御手段、４が光学手段である有機ＥＬユニット、１０が表示装置である誘導灯である。
【００１５】
誘導灯１０は、図１、２に示すように、表示部１、この表示部１が設けられ制御手段３、有機ＥＬユニット４等が内蔵される筐体７からなっている。
【００１６】
表示部１は、後述するシンボルを表示するための有効な表示面１１を縦２００ｍｍ、横２００ｍｍの寸法で形成されているものである。そして、この表示面１１は、図３に示すように、縦１４０×横１４０のドットマトリクス状に各領域１２，１２・・・に区画される表示パネル１３からなっている。さらに、詳述すると、表示パネル１３の各領域１２は、その直下に有機ＥＬユニット４が設けられているものである。
【００１７】
この有機ＥＬユニット４は、図４の（ａ）に示しように、陽極４ａ、発光材料層４ｂ、陰極４ｃ及び共通導体４ｄを積層して構成されてなる複数の発光部４１と、発光部４１間に配設された光拡散性区画部４２と、発光部４１および拡散性区画部４２を収容するガラスからなる容器４３とから構成されている。
【００１８】
また、有機ＥＬユニット４は、図４の（ｂ）に示すように、複数の発光部４１は、赤色系発光領域Ｒ、緑色系発光領域Ｇおよび青色系発光領域Ｂを有してなり、少なくとも全体として白色光を放射できるように構成されているものである。
【００１９】
入力手段２は、制御手段３に接続されているものであって、任意のシンボルを選択できるようになっており、その選択動作によって制御手段３へ選択したシンボルの情報が送信される。なお、この入力手段２は、本実施形態では誘導灯１０と別体で設けられているが、誘導灯１０と一体で設けられていてもよい。
【００２０】
制御手段３は、商用電源５と接続されているものである。さらに、常用点灯ユニット３１、非常用点灯ユニット３２及び制御部３３が設けられているものである。
【００２１】
常用点灯ユニット３１は、常用時に商用電源５からの電源を有機ＥＬユニット４へ供給するように構成されているものであり、非常用点灯ユニット３２はバッテリ（図示しない）が内蔵され、常時はバッテリを充電し、非常にはバッテリからの電源供給により有機ＥＬユニット４を点灯させるものである。また、制御部３３は、入力手段２から入力されたシンボルの情報に基づいて各領域１２毎にシンボルのパターンを割り付けるパターン生成部、生成されたパターンを各領域１２又は有機ＥＬユニット４へ出力するパターン出力部、常時／非常時の判別を行い常用点灯装置３１、非常用点灯装置３２の切替えを行う判別部等で構成されているものである。なお、制御手段３には、例えば、あらかじめ複数種のシンボルが記憶されている記憶部等も設けることができ、適宜構成は付加できるものである。
【００２２】
ここで、本実施形態の誘導灯１０の表示部１に表示されるシンボルについて図５、６，７，８を用いて説明する。図５は図１の誘導灯に表示されるシンボルの説明図、図６は図５で用いたシンボルを本発明で実施した一例を示す正面図、図７は図６で示したシンボルの一部を示す正面図、図８は図５で用いたシンボルを本発明で実施した他の例を示す正面図である。
【００２３】
図５に示すように、本実施形態の誘導灯１０は、表示部１にシンボル６１、６２，６３，６４，６５，６６，６７の７種類を表示することができるものである。これらシンボル６１，６２，・・・は、消防法により規定されているシンボルであるとともに、白色の領域（図中の無色部分）、緑色の領域（図中の斜線部分）も全て異なる構成となっている。そして、どのシンボルを採用するかは消防法でも規定されているものであるが、その誘導灯が設けられる建物等の条件に応じて適宜採用されるものである。なお、このシンボル６１、６２・・・は、誘導灯１０が一度建物等へ設置された場合には、その設置された状態で異なるシンボルに可変するようなものではなく、静止画として表示されるものである。
【００２４】
また、誘導灯１０は、火災等の非常に適切に避難者を誘導できることが求められるものであるので視認性が確保できるものでなければならない。なお、ここでいう「視認性」とは、表示部１に表示される各シンボル６１，６２・・・の表示面１１における輝度が充分確保されていることを前提条件として、そのシンボル６１，６２・・・の意味する内容の判別が可能であるかどうかということである。すなわち、誘導灯１０のシンボル６１，６２・・・は、その表示面１１の輝度が確保されていたとしても、シンボル６１，６２・・・の示す内容が判別できなければ非常時において、有効にその機能を発揮するものではない。したがって、シンボル６１，６２・・・は、その発光面の輝度が充分確保されていること及びシンボル６１，６２・・・の示す内容の判別ができるという条件を満たすことで「視認性が確保された」状態であるとすることができる。
【００２５】
そこで、本実施形態では、シンボル６１とシンボル６７とを検討した。シンボル６１は、本実施形態の表示部１及び有機ＥＬユニット４を用いた場合において、シンボル６１，６２・・・の中でも緑色領域及び白色領域が表示面１１において比較的単純かつ、広範囲に分布するものであり、最も容易に視認性を確保する表示が行えるものである。これに対しシンボル６７は、本実施形態の表示部１及び有機ＥＬユニット４を用いた場合において、シンボル６１，６２・・・の中でも緑色領域及び白色領域が表示面１１において比較的複雑かつ、一部小範囲に分布するものであり、最も視認性を確保する表示が行うことが困難なものである。
【００２６】
そして、シンボル６７の表示条件について検討した結果、図６に示すように、表示面１１が縦１４０×横１４０のドットマトリクス状に各領域１２，１２・・・が区画されていればシンボル６７の視認性を確保でき、誘導灯１０として機能し得ることが判明した。特に、図７に示したように、シンボル６７の最も表示しにくいシンボル６８も認識することができた。また、表示面１１が縦１３０×横１３０のドットマトリクス状に各領域１２，１２・・・が区画されていた場合は、緑色領域と白色領域との境界部が判別しにくくなり、シンボル６７が把握できにくいものであった。さらに、シンボル６７と同条件で図８に示すようにシンボル６１を検証した結果、シンボル６１の視認性は充分確保されたものであった。
【００２７】
したがって、シンボル６７の視認性を確保しえれば、シンボル６７以外のシンボル６１、６２，６３，６４，６５，６６は、シンボル６７を表示する条件と同条件で視認性を確保できることとなる。
【００２８】
本実施形態によれば、表示面１１が縦１４０×横１４０のドットマトリクス状に各領域１２，１２・・・が区画されている表示部１を用いたことにより、複数のシンボル６１，６１・・・を一つの表示部１で表示し得るようにする構成であっても、各シンボル６１，６２・・・の視認性は確保することができる。
【００２９】
また、表示部１の構成条件を見出せたことにより、例えば、表示部１の構成を縦５００×横５００のドットマトリクス状に各領域１２，１２・・・を区画するというような、必要以上に複雑化しすぎることによる製造性及び汎用性の低下を抑えることができる。
【００３０】
さらにまた、従来の誘導灯のように、表示部１に特別な印刷等を施す必要がないので、製造が容易となるとともに、様々なシンボルの要求に対しても速やかな対応が行えることとなる。
【００３１】
なお、表示部１は、縦２００×横２００のドットマトリクス状に各領域１２，１２・・・が区画されていれば十分満足する視認性を得られるものであった。すなわち、表示面１１を縦１４０×横１４０〜縦２００×横２００の範囲内で区画するようなドットマトリクス状に形成することで、表示部１を必要以上に複雑化しすぎることによる製造性及び汎用性の低下をより抑えることができるものとすることができ、かつ、誘導灯１０としての性能を満足するものが得られる。
【００３２】
また、本実施形態においては光学手段を有機ＥＬユニット４としたが、この光学手段は、冷陰極蛍光ランプと導光板とを用いるサイドライト方式であってもよいし、ＬＥＤを光源として用いる方式であってもよいし、冷陰極蛍光ランプを用いてのその他の方式であってもよい。要するに、ある光源から照射される光を用いて表示部１に任意のシンボルを表示させるように構成されている光学手段であれば、如何なるものでも用いることができる。
【００３３】
【発明の効果】
請求項１記載の発明によれば、少なくとも縦１４０×横１４０以上となるドットマトリクス状に各領域が区画された表示部と；表示部に任意のシンボルが表示されるように指定する入力手段と；入力手段により指定されたシンボルが表示部に表示されるように、各領域毎にシンボルのパターンを割り付ける制御手段と；光を出射するとともに、この光が表示部の各領域に照射されることで各領域に割り付けられたパターンを表示可能とするように設けられている光学手段と；を具備することにより、複雑なシンボルであっても視認性を確保することができる。また、表示部の構成を最適化したことにより、製造性及び汎用性を高めることができる表示装置を得ることができる。
【図面の簡単な説明】
【図１】本発明の表示装置である誘導灯を示すブロック図
【図２】図１の誘導灯を示す斜視図
【図３】図１の誘導灯の表示部の表示パネルを示す拡大図
【図４】図１の誘導灯の表示部を示す説明図
【図５】図１の誘導灯に表示されるシンボルの説明図
【図６】図５で用いたシンボルを本発明で実施した一例を示す正面図
【図７】図６で示したシンボルの一部を示す正面図
【図８】図５で用いたシンボルを本発明で実施した他の例を示す正面図
【符号の説明】
１・・・表示部、２・・・入力手段、３・・・制御手段、４・・・光学手段である有機ＥＬユニット、１０・・・表示装置である誘導灯
【図１】
2004184936.tif 000003
【図２】
2004184936.tif 000004
【図３】
2004184936.tif 000005
【図４】
2004184936.tif 000006
【図５】
2004184936.tif 000007
【図６】
2004184936.tif 000008
【図７】
2004184936.tif 000009
【図８】
2004184936.tif 000010